(57)【要約】【課題】  ＣＤ等印字のためのトレイは使用しないときに保管場所に困ったり閉まった場所を忘却してしまうことや多機種を使用の場合どれを使えばいいか解らないなどの問題を解決する。【解決手段】  ＣＤトレイを給送部に格納可能にし、さらにはＣＤ設置面と逆の面を第２のビンとすることが可能にする構成をとった。【選択図】        図１
2006206267.tif 000002
【特許請求の範囲】
【請求項１】
第１のシート積載手段に積載されたシートを送り出す給送手段と、前記第１のシートと異なる被記録材を搭載して記録装置に脱着可能なトレイと、前記給送手段から給送された前記第１のシートに記録する記録手段と、を備える記録装置において、前記トレイは、該トレイの一辺と前記第１のシート積載手段の一辺が略平行かつ給送手段内若しくは近傍に設置可能で、前記トレイが該トレイの一辺と前記第１のシート積載手段の一辺が略平行かつ給送手段内若しくは近傍に設置時に第２のシート積載手段となることを特徴とする記録装置。
【請求項２】
前記トレイは、該トレイを前記記録手段に搬送する搬送手段を具備することを特徴とする請求項１に記載の記録装置。
【請求項３】
前記トレイは、該トレイの一辺と前記第１のシート積載手段の一辺が略平行かつ給送手段内若しくは近傍に設置の際、前記第１のシートと異なる被記録材を搭載する面とは反対の面を前記第２のシート積載手段とすることを特徴とする請求項１または２に記載の記録装置。
【請求項４】
前記トレイは、前記前記シートと異なる被記録材の搭載を解除しやすくするための貫通穴を有し、該トレイの一辺と前記第１のシート積載手段の一辺が略平行かつ給送手段内若しくは近傍に設置の際、前記貫通穴は前記第２のシート積載手段に積載された前記第２のシートの積載を解除しやすくするための貫通穴と共有することを特徴とする請求項１から３のいずれかに記載の記録装置。
【請求項５】
前記給送手段は、前記トレイが差し込める溝を有することを特徴とする請求項１から４のいずれかに記載の記録装置。
【請求項６】
前記トレイは、該トレイの一辺と前記第１のシート積載手段の一辺が略平行かつ給送手段内若しくは近傍に設置の際、該トレイの一辺と前記第１のシート積載手段の一辺の略平行を保ちつつ、該トレイの一辺と平行な軸を中心に回転可能であることを特徴とする請求項１から４のいずれかに記載の記録装置。
【請求項７】
前記第２のシート積載手段の給送手段は、前記第１のシート積載手段に積載されたシートを送り出す給送手段と共有であることを特徴とする請求項１から６のいずれかに記載の記録装置。
【発明の詳細な説明】
【技術分野】
【０００１】
本発明は、プリンタや画像形成装置等の記録装置に関するものであり、特にトレイに搭載されたＣＤ（コンパクトディスク）等の被記録材に記録することが可能な記録装置に関する。
【背景技術】
【０００２】
従来より、印刷装置や画像形成装置等の記録装置によって記録される被記録材として、様々なものが提案されている。その中には、ＣＤ−ＲやＤＶＤやカードのように小型で厚みのある被記録材がある（以下、まとめてコンパクトディスク又はＣＤで表現する）。現行の汎用記録装置において、ＣＤ等の被記録材に記録する場合、単票用紙の搬送経路を使うと、ＣＤの剛性が高いことに起因して、搬送性が悪くなったりする恐れや、傷が発生する恐れ、また搬送ローラ間の距離の関係で搬送不能になる恐れなどの問題が発生する。
【０００３】
そこで、ＣＤ等の小型で厚みのある被記録材を搬送する場合は、トレイを使用し、単票用紙の搬送経路とは異なる経路を通して搬送することが行われている。被記録材であるＣＤを被記録材支持手段としてのトレイに搭載し、記録装置本体へ装着されたＣＤ搬送部（支持ユニット）の案内部（トレイガイド）にトレイを挿入して所定位置へセットし、記録装置内部へ搬送することにより記録ヘッドによって前記ＣＤに記録するように構成されている（例えば、特許文献１参照）。
【０００４】
また、近年では支持ユニットやトレイガイドを内蔵した記録装置もある。
【特許文献１】特開２００４−４２３７２号公報
【発明の開示】
【発明が解決しようとする課題】
【０００５】
しかしながら、上記従来例のようなトレイは、使用しないときには保管場所に困ることがあったり、しまった場所を忘却してしまったり、また機種によって似て異なったトレイである場合、どれを用いるのかを混乱する場合があるという問題点を有している。
【０００６】
本発明は、以上の点に着目して成されたもので、トレイを無くすことなく記録装置内に保管可能で、異なるシートを積載して印字可能になり、ユーザに使用しやすくなる記録装置を提供することを目的とする。
【課題を解決するための手段】
【０００７】
本発明は、ＣＤ等の被記録材を搭載するトレイを、第１のシート積載手段をもつ給送装置内に設置可能にし、さらに設置した際には、第２のシート積載手段として、第１のシート積載手段と異なるシートを積載して印字可能にするようにした。
【０００８】
すなわち、本発明の技術内容は以下の構成を備えることにより前記課題を解決できた。
【０００９】
（１）第１のシート積載手段に積載されたシートを送り出す給送手段と、前記第１のシートと異なる被記録材を搭載して記録装置に脱着可能なトレイと、前記給送手段から給送された前記第１のシートに記録する記録手段と、を備える記録装置において、前記トレイは、該トレイの一辺と前記第１のシート積載手段の一辺が略平行かつ給送手段内若しくは近傍に設置可能で、前記トレイが該トレイの一辺と前記第１のシート積載手段の一辺が略平行かつ給送手段内若しくは近傍に設置時に第２のシート積載手段となることを特徴とする記録装置。
【発明の効果】
【００１０】
本発明によれば、ＣＤ等の被記録材を搭載するトレイを無くすことなく記録装置内に保管可能かつ、第２のシート積載手段として第１のシート積載手段と異なるシートを積載して印字可能になり、ユーザに使用しやすくなる。
【発明を実施するための最良の形態】
【００１１】
以下、本発明の具体的な実施形態について、例えば用紙やフィルムなどのシートを給送する給送装置を備え、かつトレイを使ってＣＤ等の被記録材を搬送する搬送装置を備えた、用紙やフィルムなどのシートやＣＤ等の被記録材に記録することが可能な記録装置に対する適用例を図面を参照して説明する。
【００１２】
（第１の実施の形態）
図１は、本発明を適用した記録装置の斜視図で、ＣＤ搬送部８が下ケース９９に装着され、ＣＤ搬送部８のトレイガイド８２に案内されつつトレイ３が挿入されている。トレイガイド８２にはトレイセットマーク８２６が印刷されている。ＣＤを記録する場合の使用状態の使用例である。
【００１３】
図２は、図１の状態からＣＤ搬送部８を取り外し、下ケース９９に収められていた排紙トレイ４６を引き出し、給紙トレイ２６を引き出した状態を示した斜視図である。給送部２のシート材先端基準壁２０ａと側壁２０ｂには、トレイ３を挿入可能にするため溝２７を持っている（側壁２０ｂ側の溝は不図示）。
【００１４】
図３は、図１のＣＤ搬送部８に挿入されていたトレイ３を図２の給送部２に差し込んだ状態を示した斜視図である。
【００１５】
図４は、トレイ３の表面の特徴を説明する図で、先端テーパ部３０、後端部３１、ＣＤ取り付け部３２、ＣＤ取り出し穴３５等で構成され、トレイ挿入位置合わせ用マーク３６、ＣＤトレイ挿入方向矢示３４が印刷されている。トレイの長手方向の長さは、給送部２に積載可能な最大シート幅＋２０ｍｍ程度である。先端テーパ部３０は、不図示の本体搬送ローラに噛み込みやすくするものである。
【００１６】
図５は、トレイ３の裏面の特徴を説明する図で、先端テーパ部３０、後端部３１、ＣＤ取り出し穴３５が図４の表面と同様で、シートサイズ別指標３７、トレイ挿入方向矢示３８、挿入方法解説文３９などが印刷されている。
【００１７】
次に操作、使用方法について説明する。
【００１８】
本実施例は、通常の用紙やフィルムなどのシートの印字や、トレイを使ったＣＤ等の被記録材を印字するための記録装置としては従来と同様の構成と機能をもち、トレイの付加機能として簡易２ビンを記録装置に持たせることが特徴である。従って、図１の状態でのトレイを使ったＣＤ等の被記録材の印字に関しては従来と変わらず、例えばＣＤ搬送部８の構成、搬送部８を下ケース９９に装着し固定する機構や脱着操作、トレイ３をトレイ挿入位置合わせ用マーク３６とトレイセットマーク８２６を合わせてＣＤトレイ挿入方向矢示３４の方向にトレイガイド８２に案内しながら挿入する操作方法、トレイ３上のＣＤへの印字制御、動作、機能、操作方法は変わらない（前記特許文献１が詳しい）のでここでは省略する。
【００１９】
図３は、搬送部８とトレイ３が上記特許文献１に詳しい所定の方法で取り外された図２の状態に、ユーザが挿入方法解説文３９に従いトレイ３の裏面（図５の面）をトレイ挿入方向矢示３８方向に、給送部２のシート材先端基準壁２０ａに設けられた溝２７に後端部３１を、側壁２０ｂに設けられた溝（不図示）に先端テーパ部３０を合わさせ固定することで、トレイ３を簡易２ビンの仕切り板として機能させた状態である。図２において、仕切板として設置されるトレイ３が図２に示す圧板２１（積載可能待機状態）の角度に対して５°〜１５°程度立つような角度になるように、シート材先端基準壁２０ａに設けられた溝２７と側壁２０ｂに設けられた溝（不図示）が設けられている。
【００２０】
図６は、図３のトレイ３が設置された状態の給送部２の一部を示した構成斜視略図である。トレイ３により積載口はビン１０１とビン１０２に仕切られ、簡易２ビンとなっている。トレイ３より給送ローラ２８側のビン１０１、他方の圧板２１側のビン１０２は、違うサイズのシート束を積載可能であり、図６では例えばビン１０１に積載するシート束Ｐ１としてＬ判サイズのシートを、ビン１０２に積載するシート束Ｐ２としてＡ４サイズのシート（図は早解のためＡ４サイズのシート長さを短く表示している）を積載している。シート束Ｐ１として積載されたＬ判のシートは、シート長さが短いためにトレイ３の高さより低くなっているが、ＣＤ取り出し穴３５が空いている為、トレイ３に貼り付くことなく簡単に持ち上げることが可能である。
【００２１】
この構成においては、ビン１０１に積載されたシートが優先して給送され、ビン１０２に積載されたシートは、ビン１０１のシートが全て無くなってからの給送となる。
【００２２】
給送の動作については図２で示したトレイ３の無い場合と全く同様で、圧板２１が不図示のばねで付勢され、不図示のカムによって給紙ローラゴム２８１に圧接・離間可能に構成される構成で、前記特許文献１等従来例が詳しい。
【００２３】
ビン１０１の給送に必要な圧板圧はビン１０２に積載されたシート束Ｐ２の先端Ｐ２Ｓを介して伝達される。ビン１０２に何も積載されない場合は圧板２１が不図示のばねにより付勢され直接ビン１０１のシート束Ｐ１の先端Ｐ１Ｓを押圧することで圧板圧を得る。
【００２４】
図７は、ビン１０１にシートが無い場合の図６の構成側面略図である。ビン１０２に積載されたシート束Ｐ２の給送は、図８のように圧板２１の回転中心２１ａを中心に圧板２１が回転し、ビン１０２に積載されたシート束１０２の最上位のシートが給送する際にトレイ３の先端３Ｓに当接しないようにするために、回転中心２１ａを決定している。
【００２５】
（第２の実施の形態）
第１の実施の形態では、トレイ３は図２の溝２７に沿って設置可能であったが、第２の実施の形態としては、溝２７の代わりに先端テーパ部３０と後端部３１を挟み込むことが可能な回転軸とすることで、第１の実施の形態の図７のトレイ３の先端３Ｓがビン１０２に積載されたシート束１０２の最上位のシートに当接してもビン１０２に積載されたシート束１０２の最上位のシートが給送可能になるため、更なる小型化や設計の自由度が可能となる。
【図面の簡単な説明】
【００２６】
【図１】本発明の第１の実施の形態に係る記録装置にＣＤ搬送部を装着した斜視図
【図２】上記記録装置のＣＤ搬送部を取り外した斜視図
【図３】上記記録装置のＣＤ搬送部を取り外し、トレイを給送部に設置した斜視図
【図４】上記トレイの表面の特徴を示す正面図
【図５】上記トレイの裏面の特徴を示す背面図
【図６】図３における給送部の一部を示す構成斜視略図
【図７】図３における給送部の一部を示す構成側面略図
【図８】図３における給送部の一部で給送中の状態を示す構成側面略図
【符号の説明】
【００２７】
２            給送部
２１          圧板
２１ａ        圧板回転中心
２６          給紙トレイ
２７          溝
２８          給送ローラ
２８１        給送ローラゴム
３            トレイ
３０          先端テーパ部
３１          後端部
３２          ＣＤ取り付け部
３４          ＣＤトレイ挿入方向矢示
３５          ＣＤ取り出し穴
３６          トレイ挿入位置合わせ用マーク
３７          シートサイズ別指標
３８          トレイ挿入方向矢示
３９          挿入方法解説文
３Ｓ          トレイ先端（給送部２取り付け時）
４６          排紙トレイ
８            ＣＤ搬送部
８２          トレイガイド
８２６        トレイセットマーク
９９          下ケース
１０１        ビン１
１０２        ビン２
Ｐ            シート
Ｐ１          シート（ビン１）
Ｐ１Ｓ        シート先端（ビン１）
Ｐ２          シート（ビン２）
Ｐ２Ｓ        シート先端（ビン２）
【図１】
2006206267.tif 000003
【図２】
2006206267.tif 000004
【図３】
2006206267.tif 000005
【図４】
2006206267.tif 000006
【図５】
2006206267.tif 000007
【図６】
2006206267.tif 000008
【図７】
2006206267.tif 000009
【図８】
2006206267.tif 000010